(57)【特許請求の範囲】
【請求項１】
無線信号を送出する送信部と、
送出した無線信号に対する返信信号を受信する受信部と、
無線送信をするときにキャリアセンスを開始するキャリアセンス部と、
表示部と、
制御部を備え、
前記制御部は、前記送信部から無線信号を送信した後の第一の所定時間以内に前記返信信号を前記受信部にて受信せず、且つ、前記キャリアセンス部がキャリアセンスを開始してから第二の所定時間以上連続して所定レベル以上のキャリアを検出すると、前記表示部に妨害電波が存在する旨の表示を行うことを特徴とした無線通信装置。
【発明の詳細な説明】
【０００１】
【発明の属する技術分野】
本発明は、警備システム、管理システムなどに使用される無線通信装置に関するもので、特に、無線送信を行う際に妨害電波が存在するか否かを検知し、妨害電波を検知するとその旨を表示する無線通信装置に関するものである。
【０００２】
【従来の技術】
従来より、警備システム、管理システムなどにおいて、携帯型の無線通信装置を用意し、この無線通信装置からコントローラに無線信号を送信することにより遠隔操作を行うものが提案され、実施されている。これらのシステムにおいては、操作者が無線通信装置を操作することによって、無線通信装置から無線信号がコントローラに対して送信される。コントローラでは、受信した無線信号に基づいて所定の制御を行う。
【０００３】
また、コントローラでは、無線信号を受信すると、受信したことを操作者に知らせるために、返信信号を無線通信装置に送信する。無線通信装置では、この返信信号を受信すると、表示部に「送信完了」のメッセージを表示し、操作者はこの表示を見てコントローラに無線信号が送信されたことを確認する。
上記システムにおいては、無線通信装置より無線信号を送信したときに、コントローラが、無線信号のキャリア（搬送波）の周波数と同一の周波数で他の無線機器が送信している電波（本明細書では、この電波を「妨害電波」という。）を受信している場合がある。このような場合には、無線通信装置から無線信号を送信しても、コントローラがそれを受信できない場合がある。
【０００４】
このような場合、コントローラが無線信号を受信できない状態にあることを操作者に知らせる必要がある。そのため、無線通信装置では、無線信号を送信する際に、妨害電波が存在するか否かを検出するため無線信号のキャリアと同一周波数のキャリアを検知するキャリアセンスを行う。ここでキャリアを検出した場合には、妨害電波によりコントローラでの受信は不可能であると判断して、無線信号の送出を停止し、無線通信装置の表示部にその旨の表示を行う。一方、キャリアを検知しない場合には、コントローラでの受信は可能であると判断して無線信号の送信を行う。
【０００５】
なお、上記の表示の例としては、「送信不可」というメッセージの表示、又は、受信した電波のレベルの表示などがある。
【０００６】
【発明が解決しようとする課題】
上記従来のシステムにおいて、無線通信装置とコントローラが離れた場所にある場合、無線通信装置がキャリアセンスの結果妨害電波を検知しても、コントローラでは妨害電波を受信していない場合がある。このような場合は、無線通信装置からコントローラへ無線信号を送信することは可能であるので、強制的に送信を行うことができる。しかしながら、上記従来の無線通信装置では「送信不可」というメッセージの表示、又は、妨害電波の受信レベルが高いことが表示されるだけであるので、操作者が不慣れな場合は、送信が可能であるか否かを判別することはできなかった。
【０００７】
本発明は、コントローラへ無線信号を送信する無線通信装置において、無線信号の送信が正常に行われたか否かを確実に判定し、送信が実行されなかった場合に、その原因が妨害電波によるものか否かを正確に判定できるようにすることを目的とするものである。
【０００８】
【課題を解決するための手段】
本発明は、上記目的を達成するため、無線通信装置を、無線信号を送出する送信部と、返信信号を受信する受信部と、キャリアを検出するキャリアセンス部と、表示部と、制御部とにより構成し、制御部において、送信部から送出した無線信号がコントローラに正常に送信されたか否かを判定し、送信が不可であった場合は、それが妨害電波によるものか否かを判定する。そして、送信が不可であった原因が妨害電波によると判定された場合、その旨を表示部に表示する。
【０００９】
そのため、制御部は、送信部により無線信号を送信するときに、キャリアセンス部により無線信号のキャリアと同一周波数のキャリアの検知を行い、更に、受信部が返信信号を受信したか否かを判定する。コントローラは、無線通信装置から送信された無線信号を受信すると、受信したことを無線通信装置に通知するため、返信信号をその送信部から送出する。無線通信装置では、この返信信号を受信したときは、無線信号の送信が正常に行われたと判定する。
【００１０】
一方、無線通信装置が無線信号を送信しても、何らかの原因でコントローラが無線信号の受信をしなかった場合は、コントローラからの返信信号の送信がないので、無線通信装置は無線信号の送出後に所定時間が経過しても返信信号の受信をしない。したがって、無線通信装置は、送信が正常にされなかったと判定する。
【００１１】
この送信不可の判定があった場合、コントローラが妨害電波を受信したために無線信号を受信できないケースでは、無線通信装置もその妨害電波の影響を受けるので、無線通信装置のキャリアセンス部は所定レベル以上のキャリアを検出する。したがって、無線通信装置の制御部では、キャリアセンス部がキャリアを検出し、かつ、受信部が返信信号を受信しない場合には、妨害電波により無線信号の送信が正常に行われなかったと判定して、表示部に妨害電波が存在する旨の表示を行う。
【００１２】
また、無線通信装置が送信不可と判定した場合で、キャリアセンス部が所定レベル以上のキャリアを検出しないケースでは、妨害電波が存在しない状態であるので、表示部には単に送信不可があったことを表示する。
このように、本発明の無線通信装置によれば、キャリアを検出したことと返信信号を受信しないことの２つの条件が成立したときに妨害電波が存在すると判定し、それを表示する。したがって、操作者は、送信不可となった場合に、妨害電波による送信不可か、その他の原因による送信不可かを、確実に判別することができ、対処方法を容易に決めることができる。
【００１３】
【発明の実施の形態】
本発明を警備システムに適用した実施形態について図を用いて説明する。
図１は、警備システムの全体構成を示す。
図において、１は、家屋などの警備領域６の内部に設置されたコントローラ、２は警備員又は保守員が所持する携帯型の無線通信装置、３はコントローラ１と接続された電話回線、４は、警備領域６の遠隔地にある警備センターで、電話回線３を介してコントローラ１と接続される。５1 ，５2 …５n は、警備領域６内の各所に設置された侵入者検知センサー、火災検知センサーなどのセンサーである。１８，２８は、コントローラ１と無線通信装置２の間の通信のために設けられたアンテナである。
【００１４】
図２は、コントローラ１の構成を示すブロック図である。
図において、１２は液晶ディスプレイ等で構成された表示部、１３はテンキー等で構成された操作部、１４は無線信号を送出する送信部、１５は無線信号を受信する受信部である。１６は、電話回線３と接続され、異常情報を電話回線３を介して警備センター４に通報する通報部である。１７は、センサーインターフェースで、警備領域６内に設置された各種センサー５1 ，５2 ……５n と接続される。１１は、上記各部に接続された制御部であり、ＣＰＵ１１１、ＲＡＭ１１２、ＲＯＭ１１３などから構成されている。１８は送信部と受信部に接続されたアンテナである。
【００１５】
図３は無線通信装置２の構成を示すブロック図である。
図において、２２は、液晶ディスプレイなどで構成された表示部、２３はテンキー等で構成された操作部、２４は無線信号を送出する送信部、２５は無線信号を受信する受信部である。２６は、キャリアセンス部で、受信部２５の出力側に接続されて、所定以上のレベルのキャリアが受信されているか否かを検知する。２１は、上記各部に接続された制御部であり、ＣＰＵ２１１、ＲＡＭ２１２、ＲＯＭ２１３等から構成されている。２８は送信部と受信部に接続されたアンテナである。
【００１６】
次に、警備システムの動作について説明する。
警備領域６内に配置した各種センサー５1 ，５2 …５n のいずれかが異常を検知すると、センサーインターフェース１７を経由して異常信号がコントローラ１の制御部１１に入力される。コントローラ１が警戒モードに設定されている場合は、制御部１１は、所定の手順に従って、警報の表示などを行い、通報部１６から警備センター４に通報する。通報を受けた警備センター４では、警備員を派遣するなどの必要な措置をとる。
【００１７】
警備員又は保守員（以下、操作者という。）が、巡回又は保守のため、警戒モードにある警備領域に入る場合、操作者は、コントローラ１の警戒モードを解除（巡回モードまたは保守モードを含む）してから警備領域に入らないと、操作者が侵入者として検出されることとなる。したがって、操作者は警備領域６に入る前に警戒モードを解除する必要がある。このため、操作者は、無線通信装置２を携帯して、警備領域６の外において無線通信装置２の操作部２３を操作して、コントローラ１の設定を巡回モードなどに切り換えるための無線信号を送信部２４から送出させる。
【００１８】
以下、コントローラ１へ無線信号を送出するときの無線通信装置２の動作について、図４のフローチャートを参照しながら説明する。
図４のフローは、操作者が、無線通信装置２の操作部２３で所定の送信操作をしたことを、制御部２１が検知することにより開始する（ステップＳ１）。
制御部２１は、キャリアセンス部２６により、キャリアセンスを開始する（ステップＳ２）。キャリアセンスが開始されると、送信部２４で送出しようとする無線信号のキャリアの周波数と同一周波数のキャリアが、受信部２５により、所定レベル以上のレベルで受信されているか否かをチェックする（ステップＳ３）。
【００１９】
ステップＳ３で所定レベル以上のキャリアを検出しない場合は、コントローラ１では無線信号を正常に受信できると判定して、ステップＳ４へ進んで、無線信号の送信を行う。ステップＳ４の無線信号の送出は、ＲＡＭ２１２に記録した無線信号を送信部２４からアンテナ２８を通して送出する。
また、ステップＳ３でキャリアを検出した場合は、ステップＳ５へ進み、Ｔ１時間が経過したか否かを判定し、経過していなければステップＳ３へ戻り、再度キャリアの検知を行う。これにより、操作者が送信操作をしたときにキャリアを検出した場合でも、所定時間Ｔ１以内にキャリアの検知が無くなれば、その時点で無線信号が送信される（ステップ４）。
【００２０】
所定時間Ｔ１以上キャリアが連続して検知された場合であっても、前述のように、コントローラ１において妨害電波を受信しているとは限らないので、ステップＳ５からステップＳ６へ進み、無線信号を強制的に送信する。このステップＳ６の強制送信は、ステップＳ４の送信と同様に、ＲＡＭ２１２に記録した無線信号を送信部２４からアンテナ２８を通して送出する。
【００２１】
無線信号が送信又は強制送信された後は、ステップＳ７で、所定時間Ｔ２以内に、コントローラ１からの返信信号が受信部２５で受信されたか否かを判定する。所定時間Ｔ２内に返信信号が受信されれば、無線通信装置２から送信した無線信号は正常にコントローラ１により受信されているので、ステップＳ８で、表示部２２に「送信結果ＯＫ」のメッセージを表示する。このように、無線通信装置２においてキャリアを検知しても、無線信号の強制送信を行えば、コントローラ１側で妨害電波を受信していなければ、無線信号の受信が行われて、返信信号が無線通信装置２に送信される。
【００２２】
ステップＳ７で、所定時間Ｔ２以内に返信信号を受信しなければ、何らかの原因で、無線信号の送信が正常に行われなかったこととなる。この原因が妨害電波によるものか、その他の理由によるものかをステップＳ９で判定する。
ステップＳ９では、（ステップＳ２で）キャリアセンスを開始してから所定時間Ｔ３以上連続してキャリアを検知したか否かを判定する。ここでＹＥＳであれば、キャリアが検出された上に返信信号を受信してないのであるから、妨害電波によりコントローラ１が無線信号を受信しなかったと判定して、ステップＳ１０で「妨害電波」というメッセージを表示する。
【００２３】
また、ステップＳ９でＮＯであれば、妨害電波が存在しない状態であるのにコントローラ１が正常な受信をしていないのであるから、妨害電波以外の原因で無線信号の送信がされなかったと判定して、ステップＳ１１で「送信結果ＮＧ」というメッセージを表示する。
操作者は、無線通信装置２で送信操作を行った後に、表示部２２に表示される送信結果を見ることにより、送信が正常に行われたか否かを確認でき、更に、送信が不可であった場合は、それが妨害電波によるものか否かを確認することができる。したがって、送信不可に対する対策が立てやすくなる。
【００２４】
また、従来、無線通信装置２においてキャリアを検出した場合は、妨害電波により通信不可能と判定して無線信号の送信を行わなかった。これに対し、本実施形態では、無線信号の強制送信を行って、実際に無線通信装置２とコントローラ１との間の通信が可能であるか否かを確認することができる。したがって、操作者が送信可能か不可能かを判断する負担を軽減することができる。
【図面の簡単な説明】
【図１】本発明を適用した警備システムの全体構成図。
【図２】図１におけるコントローラの構成を示すブロック図。
【図３】図１における無線通信装置の構成を示すブロック図。
【図４】図３の無線通信装置における無線信号送信時の動作を示すフローチャート。
【符号の説明】
１…コントローラ
２…無線通信装置
５…センサ
６…警備領域
１１…制御部
１２…表示部
１３…操作部
１４…送信部
１５…受信部
１６…通報部
１７…センサインターフェース
１８…アンテナ
２１…制御部
２２…表示部
２３…操作部
２４…送信部
２５…受信部
２６…キャリアセンス部
２８…アンテナ
【図１】
0003739171.tif 000002
【図２】
0003739171.tif 000003
【図３】
0003739171.tif 000004
【図４】
0003739171.tif 000005